(57)【特許請求の範囲】
【請求項１】
薬液を収容する薬液容器と、前記薬液容器を下方から支持する支持体とを備え、前記支持体及び前記薬液容器の嵌合により前記薬液容器が前記支持体に固定される薬液供給装置であって、
前記支持体には、押圧により少なくとも一部分が内方に移動可能な押圧部が少なくとも１つ設けられ、
前記薬液容器には、前記押圧部の移動に伴う前記押圧部との接触により前記薬液容器の上方への移動を誘発する誘発部が設けられている薬液供給装置。
【請求項２】
前記押圧部は、前記支持体の側面部に切込み又は切欠きを設けることで前記側面部に対して内方に傾動可能に形成される請求項１に記載の薬液供給装置。
【請求項３】
前記薬液容器には、前記押圧部を受け入れ可能でありかつ前記押圧部の移動方向に沿って延びる凹部が設けられ、前記凹部内に前記誘発部を有する請求項１又は２に記載の薬液供給装置。
【請求項４】
前記誘発部は、前記押圧部の移動方向に位置し、前記押圧部の一部分が突き当たる突起である請求項１〜３のいずれかに記載の薬液供給装置。
【請求項５】
前記誘発部は、前記押圧部の移動方向に沿って延び、前記押圧部の一部分が摺動する摺動面である請求項１〜３のいずれかに記載の薬液供給装置。
【請求項６】
前記摺動面が傾斜している請求項５に記載の薬液供給装置。
【請求項７】
前記薬液容器及び前記支持体は、平面視において、第１の方向の長さがこれと直交する第２の方向の長さよりも長い外形を有しており、
前記押圧部及び前記誘発部は、それぞれ前記支持体及び前記薬液容器の前記第１の方向に延びる部分に設けられている請求項１〜６のいずれかに記載の薬液供給装置。
【発明の詳細な説明】
【技術分野】
【０００１】
本発明は、断続的に流下する水などの液体に薬液を供給する薬液供給装置に関し、例えば、水洗トイレの貯水タンク上部に設けられた手洗い用の給水受皿に設置され、あるいは、便器のリムに取り付けられて、芳香、消臭、洗浄のための薬液を水洗用の水に供給する薬液供給装置に関する。
【背景技術】
【０００２】
貯水タンク上部の手洗い用の給水受皿に設置されるタイプの薬液供給装置としては、図３７〜図３９の例、あるいは、図４０〜図４２の例に示すように、薬液を収容する薬液容器１００と、薬液容器１００を支持するカップ状の支持体１１０とを備え、支持体１１０の下面に案内部材１１１を下方に突き出るように設けたものが知られている（例えば、特許文献１，２を参照）。支持体１１０の下面には、複数本の長脚部１１６と、長脚１１６の周囲に配置された複数本の短脚１１７とが立設されており、薬液供給装置は、長脚１１６が、給水受皿の排水口に挿入されるようにして設置される。薬液容器１００は、図４３に示すように、薬液を収容可能な薬液収納部１０１と、薬液収納部１０１の端面に設けられた薬液排出口１０２とを備え、薬液排出口１０２にはキャップ１０３が被せられている。支持体１１０は、上部が開口しており、開口周縁に薬液収納部１０１の内側に凹んだ端部１０４が嵌め込まれる。また、支持体１１０は、薬液容器１００の排出口１０２に接続される円筒状の接続部材１１２を有するカバー部材１１３を備えており、接続部材１１２を排出口１０２に嵌合させることで薬液容器１００が支持体１１０に装着される。案内部材１１１は給水受皿の排水口に挿入される。薬液容器１００内の薬液は、詳細な説明は省略するが、接続部材１１２から支持体１１０のカバー部材１１３内を介して案内部材１１１に供給される。そして、薬液が案内部材１１１上で給水受皿上に供給される水に洗い流されることで、排水口から貯水タンクの中に流れ込む。
【０００３】
また、このタイプの他の薬液供給装置として、図４４及び図４５の例に示すように、薬液を収容する薬液容器１００と、薬液容器１００を支持するカップ状の支持体１１０とを備え、支持体１１０の下部側面に設けられた開口１１４から板状の薬液供給部材１１５の両端を突出させたものも知られている（例えば、特許文献１の図８〜図１１を参照）。この薬液供給装置でも、薬液容器２から薬液が接続部材１１２に排出された後、支持体１１０のカバー部材１１３内を通って薬液供給部材１１５上に流れ出す。薬液供給部材１１５上の薬液は、給水受皿上に供給される水が開口１１４から支持体１１０内に流入することで洗い流されて、給水受皿上に流れ出し、排水口から貯水タンクの中に流れ込む。
【先行技術文献】
【特許文献】
【０００４】
【特許文献１】特開２００４−３００８６１号公報
【特許文献２】特開２００６−２８３５４０号公報
【発明の概要】
【発明が解決しようとする課題】
【０００５】
上述したように、薬液供給装置は、薬液容器１００の薬液排出口１０２に支持体１１０の接続部材１１２を嵌合させることで、薬液容器１００を支持体１１０に装着している。また、装置によっては、上述した嵌合に加えて、支持体１１０の開口周縁に係合突部（図示せず）を設け、薬液容器１００の端部１０４に設けられた係合凹部１０５に係合させることで、薬液容器１００を支持体１１０に装着している。一方、使用後は、空の薬液容器１００を新たな薬液容器１００に取り替えるために、薬液容器１００を支持体１１０から取り外すが、このとき、薬液容器１００と支持体１１０とは少なくとも嵌合により取り外し難くなっているので、取り外すには、一方の手で薬液容器１００を持つとともに他方の手で支持体１１０を持ち、薬液容器１００を支持体１１０から強く引き離す必要がある。しかし、この場合に、薬液容器１００に薬液が僅かに残っていると、薬液容器１００を支持体１１０から強く引き離した際に薬液容器１００内の残存する薬液が薬液排出口１０２から飛び散って使用者の服などに付着するおそれがある。また、支持体１１０の案内部材１１１に薬液が付着していると、支持体１１０を手で持った際に手に薬液が付着するおそれがある。このように、薬液容器１００を支持体１１０から取り外す際に、薬液が服や手に付着すると、使用者は不快に感じるおそれがある。よって、上述した薬液供給装置では、薬液容器１００を支持体１１０から取り外す際の操作性に改善の余地がある。
【０００６】
このような問題は、貯水タンク上部の給水受皿に設置されるタイプのみならず、便器のリムに取り付けられるタイプの薬液供給装置においても起こりうる問題である。
【０００７】
本発明は、上記した問題に着目してなされたものであり、手や服に薬液が付着することなく、薬液容器を支持体から容易に取り外すことができる薬液供給装置を提供することを目的とする。
【課題を解決するための手段】
【０００８】
本発明の上記目的は、薬液を収容する薬液容器と、前記薬液容器を下方から支持する支持体とを備え、前記支持体及び前記薬液容器の嵌合により前記薬液容器が前記支持体に固定される薬液供給装置であって、前記支持体には、押圧により少なくとも一部分が内方に移動可能な押圧部が少なくとも１つ設けられ、前記薬液容器には、前記押圧部の移動に伴う前記押圧部との接触により前記薬液容器の上方への移動を誘発する誘発部が設けられている薬液供給装置により達成される。
【０００９】
上記構成の薬液供給装置において、前記押圧部は、前記支持体の側面部に切込み又は切欠きを設けることで前記側面部に対して内方に傾動可能に形成されることが好ましい。
【００１０】
また、前記誘発部は、前記押圧部の移動方向に位置し、前記押圧部の一部分が突き当たる突起であること、又は、前記誘発部は、前記押圧部の移動方向に沿って延び、前記押圧部の一部分が摺動する摺動面であることが好ましい。前記誘発部が摺動面である場合には、前記摺動面が傾斜していることが好ましい。
【００１１】
また、前記薬液容器には、前記押圧部を受け入れ可能でありかつ前記押圧部の移動方向に沿って延びる凹部が設けられ、前記凹部内に前記誘発部を有することが好ましい。
【００１２】
また、前記薬液容器及び前記支持体は、平面視において、第１の方向の長さがこれと直交する第２の方向の長さよりも長い外形を有しており、前記押圧部及び前記誘発部は、それぞれ前記支持体及び前記薬液容器の前記第１の方向に延びる部分に設けられていることが好ましい。
【発明の効果】
【００１３】
本発明の薬液供給装置によると、支持体及び薬液容器にそれぞれ押圧部及び誘発部が設けられており、押圧部の内方への移動が誘発部を介して薬液容器を上方に移動させるように構成されている。支持体と嵌合状態にある薬液容器が上方に移動すると、支持体との嵌合が自動的に外れるため、支持体から薬液容器を取り外すことが容易となる。よって、本発明の薬液供給装置によれば、使用に伴い薬液容器内の薬液が全て排出された空の薬液容器を新たな薬液容器に取り替えるために、支持体から薬液容器を取り外す際に、支持体の押圧部を内側に向けて単に押圧するだけで、薬液容器と支持体との嵌合が外れて、薬液容器を支持体から容易に取り外すことができる。これにより、薬液容器を支持体から取り外す際に薬液容器を支持体から強く引き離すなどの必要がないので、薬液容器内の残存する薬液が飛び散るおそれがなく、使用者の服などに付着するおそれがない。加えて、薬液容器を支持体から取り外す際には、薬液供給装置を給水受皿上に設置したままで、一方の手で支持体の押圧部を押圧し、他方の手で薬液容器を掴んで持ち上げることで、薬液容器を支持体から取り外せる。よって、薬液容器を支持体から取り外した際に薬液が手に付着して薬液で汚れるおそれもなく、使用者が不快に感じるおそれがない。
【図面の簡単な説明】
【００１４】
【図１】本発明の一実施形態に係る薬液供給装置の正面図である。
【図２】図１の側面図である。
【図３】図２のＡ−Ａ線に沿う断面図である。
【図４】図１のＢ−Ｂ線に沿う断面図である。
【図５】薬液容器の正面図である。
【図６】薬液容器の側面図である。
【図７】薬液容器の平面図である。
【図８】薬液容器の底面図である。
【図９】キャップが薬液容器の排出口に取り付けられた状態の断面図である
【図１０】支持体の正面図である。
【図１１】支持体の側面図である。
【図１２】支持体の平面図である。
【図１３】支持体の底面図である。
【図１４】図１２のＣ−Ｃ線に沿う断面図である。
【図１５】図１２のＤ−Ｄ線に沿う断面図である。
【図１６】底孔を拡大して示す平面図である。
【図１７】案内部材を拡大して示す底面図である。
【図１８】カバー部材の平面図である。
【図１９】カバー部材の底面図である。
【図２０】カバー部材の正面図である。
【図２１】図１８のＥ−Ｅ線に沿う断面図である。
【図２２】図１８のＦ−Ｆ線に沿う断面図である。
【図２３】接続部材及び排出部材を拡大して示す断面図である。
【図２４】薬液容器を支持体に取り付けた状態の要部を拡大して示す断面図である。
【図２５】第１の変形例の押圧部を備える支持体の断面図である。
【図２６】第１の変形例の薬液容器の正面図である。
【図２７】第１の変形例の薬液容器の背面図である。
【図２８】第１の変形例の薬液容器の平面図である。
【図２９】第１の変形例の薬液容器の側面図である。
【図３０】第２の変形例の薬液容器の正面図である。
【図３１】第２の変形例の薬液容器の側面図である。
【図３２】第２の変形例の薬液容器の平面図である。
【図３３】第３の変形例の薬液容器の正面図である。
【図３４】第３の変形例の薬液容器の側面図である。
【図３５】第３の変形例の薬液容器の平面図である。
【図３６】第２の変形例の押圧部を備える支持体の正面図である。
【図３７】従来例の薬液供給装置の正面図である。
【図３８】図３７の側面図である。
【図３９】図３７の薬液供給装置の支持体の分解斜視図である。
【図４０】従来例の薬液供給置の正面図である。
【図４１】図４０の側面図である。
【図４２】図４０の薬液供給装置の支持体の分解斜視図である。
【図４３】従来例の薬液容器の正面図である。
【図４４】従来例の薬液供給装置の正面図である。
【図４５】図４４の薬液供給装置の分解図である。
【発明を実施するための形態】
【００１５】
以下、本発明の実態の形態について添付図面を参照して説明する。図１及び図２は、本発明の一実施形態である薬液供給装置１の外観構成を、図３及び図４は、図１及び図２の薬液供給装置１の内部構成を示している。なお、図示例の薬液供給装置１は、水洗トイレの貯水タンク上部に設けられる手洗用の給水受皿に設置されるタイプのものを例に挙げている。
【００１６】
薬液供給装置１は、芳香、消臭、便器の洗浄のための薬液を収容する薬液容器２と、薬液容器２が着脱可能に装着され、薬液容器２を下方から支持する支持体３とを備えており、支持体３と薬液容器２との嵌合により薬液容器２が支持体３に固定されている。
【００１７】
薬液容器２は、図５〜図８に示すように、薬液を収容可能な中空かつ有底の薬液収納部２０を備え、薬液収納部２０の上面には、薬液を排出するための排出口２１が設けられている。薬液容器２は、ポリエチレンテレフタレートなどの合成樹脂の他、陶器、ガラスなどによって形成することができるが、透明又は半透明の材料で形成されていると、外部から内部に収容された薬液の残量が確認できるので好ましい。一方、色素を含む薬液の場合、薬液収納部２０の内面に薬液が付着することで外観上好ましくないおそれがあるため、外部から内部を視認できない材料にすることが好ましい。排出口２１には、図９に示すキャップ２２が被せられている。
【００１８】
キャップ２２は、図９に示すように、環状の本体部２７と、本体部２７の中央の穴を塞ぐ薄膜部２８とを備え、全体が軟質の合成樹脂により形成されている。本体部２７は、薬液容器２の排出口２１内に嵌合する円筒状の内側壁部２７Ａと、内側壁部２７Ａの外側に配置された円筒状の外側壁部２７Ｂと、内側壁部２７Ａ及び外側壁部２７Ｂの上端部同士を連結する輪状のフランジ部２７Ｃとからなる。内側壁部２７Ａの下端部の内周面には、周方向に一周にわたって延びる係合突部２７Ｄが設けられている。薄膜部２８は、内側壁部２７Ａの係合突部２７Ｄの先端部に分離可能に連結されており、薬液容器２の排出口２１を閉塞している。外側壁部２７Ｂの下部の内周面には、周方向に一周にわたって延びる先細形状の抜止め部２７Ｅが突設されている。抜止め部２７Ｅが排出口２１に設けられた段部２９と係合することで、キャップ２２が排出口２１に固定される。
【００１９】
薬液容器２は、キャップ２２を排出口２１に装着したまま、キャップ２２を下にした逆さの状態で使用される。そして、使用に際しては、図２４に示すように、後述する支持体３の円筒状の接続部材４３をキャップ２２の内側壁部２７Ａ内に差し込んで薄膜部２８を破断することで、薬液容器２内の薬液が排出口２１から排出される。このとき、支持体３の接続部材４３が薬液容器２の排出口２１内に嵌合することで、薬液容器２が支持体３に固定される。なお、本願請求項１の「支持体と薬液容器との嵌合により薬液容器が支持体に固定される」とは、本実施形態のように、薬液容器２の一部分と支持体３の一部分とが嵌合することで、薬液容器２が支持体３に固定される態様を含んでいる。なお、この本実施形態の態様に加えて又はこれに替えて、支持体３の上部開口縁に薬液収納部２０の上端部を嵌合することで、薬液容器２が支持体３に固定される態様であってもよい。
【００２０】
薬液容器２は、平面視において、第１の方向（図７の左右方向、以下、「長手方向」という。）の長さがこれと直交する第２の方向（図７の上下方向、以下、「短手方向」という。）の長さよりも長い横長状の外形を有している。本実施形態の薬液容器２は、平面視において、短手方向に延びる両側縁部（以下、「左側縁部及び右側縁部」という。）２Ａ，２Ｂは、全体的に外側へ凸をなす湾曲形状に形成されている。また、薬液容器２の長手方向に延びる一方の側縁部（以下、「前側縁部」という。）２Ｃは、全体的に外側へ凸をなす湾曲形状に形成されているのに対して、長手方向に延びる他方の側縁部（以下、「後側縁部」という。）２Ｄは、左側縁部及び右側縁部２Ａ，２Ｂと連続する左側及び右側の部分が外側へ凸をなす湾曲形状に形成されている一方で、中央部分が内側へ凸をなす湾曲形状に形成されている。なお、前側縁部及び後側縁部２Ｃ，２Ｄともに全体的に外側へ凸をなす湾曲形状に形成されていてもよいし、中央部分が内側へ凸をなす湾曲形状に形成されていてもよい。また、薬液容器２は、平面視において、円形状など、第１の方向の長さがこれと直交する第２の方向の長さと同一又は略同一であってもよい。
【００２１】
支持体３は、上部が開口するカップ状に形成されており、図１０〜図１５に示す底面部３０及び側面部３１と、図１８〜図２２に示すカバー部材４とを備えている。この支持体３は、ポリエチレン、ポリプロピレン、ポリエチレンテレフタレートなどの合成樹脂により形成されており、可撓性を有している。
【００２２】
支持体３の平面視の外形は、薬液容器２とほぼ同形状に形成され、本実施形態では、第１の方向（図１２の左右方向、以下、「長手方向」という。）の長さがこれと直交する第２の方向（図１２の上下方向、以下、「短手方向」という。）の長さよりも長い横長状に形成されている。本実施形態では、薬液容器２と同様に、左側縁部３Ａ、右側縁部３Ｂ及び前側縁部３Ｃは、全体的に外側へ凸をなす湾曲形状に形成されているのに対して、後側縁部３Ｄは、中央部分が内側へ凸をなす湾曲形状に形成されている。水洗トイレの貯水タンク上部に設けられる手洗用の給水受皿が長方形状の外形を有している場合、薬液供給装置１は、第１の方向（支持体３及び薬液容器２の長手方向）が給水受皿の長手方向と一致するように設置される。
【００２３】
図１０〜図１５に示すように、底面部３０の下面には、下方に延びる複数（図示例では２本）の長脚３２が設けられている。薬液供給装置１は、複数の長脚３２を給水受皿の排水口に挿入するようにして給水受皿上に設置される。また、長脚３２の周囲には、長脚３２より短い複数（例えば４本）の短脚３３が下方に延びるようにして設けられている。複数の短脚３３は、長脚３２が排水口に挿入された状態で、支持体３を給水受皿上にほぼ水平に支持する。また、底面部３０の上面には、底面部３０に着脱可能に取り付けられるカバー部材４の周壁（以下、「内側壁」という。）４１が嵌合する略楕円形枠状の周壁（以下、「外側壁」という。）３４が設けられている。
【００２４】
カバー部材４は、図１８〜図２２に示すように、平面視略楕円形状の上面部４０と、上面部４０から垂下する略楕円形枠状の内側壁４１と、内側壁４１の外側に位置し上面部４０の周縁から垂下する囲繞壁４２とを備えており、下部が開口している。内側壁４１を支持体３の外側壁３４の内側に嵌合させることで、カバー部材４が底面部３０を覆うように装着される。このとき、囲繞壁４２は、外側壁３４の外周面から離反している。上面部４０は、その中央部の平面視円形状の下段部４０ａと、下段部４０ａより高い位置にある下段部４０ａの周囲の上段部４０ｂとからなる。下段部４０ａの中央位置には、薬液容器２の排出口２１に接続される円筒状の接続部材４３が設けられている。
【００２５】
接続部材４３は、カバー部材４の下段部４０ａの上面に設けられている。接続部材４３は、図２３に示すように、先端部４３Ａと先端部４３Ａよりも大径の基端部４３Ｂとからなる。先端部４３Ａの上端は斜めに切り取られており、上部開口が傾斜している。図２４に示すように、薬液容器２の排出口２１に接続部材４３が接続されて両者が嵌合する際には、接続部材４３の基端部４３Ｂがキャップ２２の本体部２７内に嵌合して内側壁部２７Ａの内周面と当接するとともに、本体部２７の係合突部２７Ｄが接続部材４３の先端部４３Ａと係合して先端部４３Ａの外周面と当接している。
【００２６】
図１８〜図２２に戻って、カバー部材４の下段部４０ａの下面には、接続部材４３よりも小径の円筒状の排出部材４４が同心円状に設けられている。接続部材４３と排出部材４４とは、流通孔４５を介して連通しており、接続部材４３及び排出部材４４の内部は、薬液を薬液容器２から後述する案内部材５に通す薬液通路を構成している。接続部材４３内の排出部材４４の周囲には、連通孔６１が複数（図示例では３個）形成されている。この連通孔６１は、後述する調整機構６を構成するものである。
【００２７】
図１０〜図１５に戻って、支持体３の底面部３０の外側壁３４に囲まれた領域の中央部には、円形の底孔３５が形成されている。この底孔３５内にはカバー部材４の排出部材４４が嵌合可能である。そして、支持体３の底面部３０の下面には、底孔３５を横断するようにして板状の案内部材５が設けられている。案内部材５は、薬液容器２から接続部材４３及び排出部材４４を介して排出された薬液を支持体３の外部の断続的に流れる液体と接触する位置へ案内するためのものであり、案内部材５の上面には、排出部材４４内に嵌合可能な嵌合突部５０が設けられている。嵌合突部５０の外側面には、図１６に示すように、上端部から下端部まで延びる縦溝５１が形成されており、縦溝５１により、排出部材４４の内周面との間に薬液の導出路が形成されている。縦溝５１の断面形状は、半円状の他、三角形や四角形などの角状など、種々の形状とすることができる。また、その断面寸法は、毛管作用により薬液が導出路に沿って導出され得る程度とするのが望ましい。底孔３５の周囲には、排出部材４４と嵌合突部５０との嵌合状態を確実に保持するために、排出部材４４が嵌合可能な環状壁３６が設けられている。
【００２８】
案内部材５は、上面が排出部材４４の下端部に当接している。案内部材５の表裏の板面には、図１７に示すように、上下方向に延びる多数の細溝５２が形成されている。この案内部材５は、２本の長脚部３２の間に位置しており、長脚部３２とともに給水受皿の排水口に挿入される。ただし、案内部材５は長脚部３２よりもやや短く形成されており、その下端部のみが排水口に挿入可能となっている。案内部材５と長脚部３２との間には、筒状の遮蔽壁３７が設けられている。遮蔽壁３７は、案内部材５よりもさらに短く形成されており、長脚部３２は支持体３を排水口に位置決めし、案内部材５は排水口に流下する水に接することで、案内部材５上の薬液が水に洗い流されて貯水タンクの中に流れ込む。一方、遮蔽壁３７は、流下する水が前記導出路から支持体３内に逆流することを規制している。
【００２９】
支持体３は、底面部３０の外側壁３４の内側に、カバー部材４の内側壁４１を嵌合させることで組み立てられる。これにより、支持体３には、図３及び図４に示すように、底面部３０とカバー部材４との間に緩衝室６０が形成される。緩衝室６０は、排出部材４４とは仕切られており、薬液が貯留可能な空間を有している。
【００３０】
緩衝室６０は、薬液容器２から排出される薬液の量を調整する調整機構６を構成するものであり、調整機構６は、緩衝室６０、上述した連通孔６１、及び、緩衝室６０に空気を流入させる空気流通孔６２により構成される。連通孔６１は、薬液容器２から接続部材４３に排出された薬液の一部を、緩衝室６０へ導入可能である。
【００３１】
空気流通孔６２は、本実施形態では、緩衝室６０の側壁（外側壁３４及び内側壁４１からなる）に設けられている。つまり、支持体３の外側壁３４の上端部が凹状に切り欠かれることで、外側壁３４に貫通穴６３（図１２及び図１５に示す）が形成されている一方で、カバー部材４の内側壁４１には、その上端部から下端部まで上下方向に延びるスリット６４（図１９及び図２１に示す）が形成されている。このスリット６４は、支持体３の外側壁３４の貫通穴６３に対応する位置に形成されており、カバー部材４を支持体３に装着して、貫通穴６３とスリット６４とを一致させることで、空気流通孔６２が形成される。
【００３２】
なお、本実施形態では、空気流通孔６２は、平面視略楕円形状の緩衝室６０の側壁（外側壁３４および内側壁４１）の長手方向の端部位置に対向して設けられているが、空気流通孔６２の配置は、必ずしもこれに限られるものではなく、緩衝室６０の側壁のいずれの位置に設けることができる。また、本実施形態では、緩衝室６０の側壁の上端部に空気流通孔６２が設けられているが、上端部よりも下方位置に設けることもできる。ただし、あまりに下方に配置すると、給水受皿に供給された水が支持体３の内部へ浸入したときに、その水が空気流通孔６２を通って緩衝室６０内に浸入するおそれがあるので好ましくない。また、本実施形態では、内側壁４１に縦長のスリット６４を設けることにより空気流通孔６２を形成しているが、内側壁４１にも外側壁３４と同じように貫通穴を設け、貫通穴同士を一致させることで、空気流通孔６２を形成してもよい。また、本実施形態では、空気流通孔６２は水平方向を向いているが、水平方向よりも下向き（斜め下向き）になるように形成してもよい。
【００３３】
また、空気流通孔６２は、必ずしも緩衝室６０の側壁６２に設けられている必要はなく、緩衝室６０の上壁（カバー部材４の上面部４０）に設けられていてもよい。
【００３４】
上記した調整機構６は、薬液容器２の温度変化に対して次のように作用をする。例えば、温度が上昇して薬液容器２が暖められた場合には、薬液容器２内の空気が膨張して薬液容器２内は正圧になる。この場合、薬液容器２内の薬液は押し出されて排出口２１から排出されるが、排出された薬液は、排出部材４４から導出路に流れ込む他、連通孔６１を介して緩衝室６０にも流れ込むため、薬液が前記導出路へ過剰に流出するのが防止される。
【００３５】
一方、流水で冷やされるなどして、薬液容器２の温度が低下すると、薬液容器２内の空気が収縮して薬液容器２内は負圧になる。この場合には、空気流通孔６２の作用により大気圧または室内圧となっている緩衝室６０内の薬液が、連通孔６１を介して薬液容器２内へ吸い込まれる。したがって、案内部材５上の水又は薄められた薬液が排出部材４４を通って薬液容器２側に戻されるのが抑制される。また、薬液容器２内の負圧によって薬液の排出が制限されるのが防止される。このように、調整機構６によって、温度変化によって薬液容器２内に圧力変化が生じた場合でも、薬液容器２と緩衝室６０との間での薬液の流通が生じるため、薬液容器２内の薬液が過剰に流出したり、あるいは、流出が制限されるのを防止することができる。なお、緩衝室６０の容量（連通孔６１の下端面から空気流通孔６２の下端面までの間の容量）は、薬液容器２の容量（図５における排出口２１の上端面までの容量）と以下の関係にあることが好ましい。すなわち、薬液容器２の容量が７５ｍｌの場合は緩衝室６０の容量が２．７ｍｌ程度であることが好ましく、薬液容器２の容量が１００ｍｌの場合は緩衝室６０の容量が３．６ｍｌ程度であることが好ましく、薬液容器２の容量が１５０ｍｌの場合は緩衝室６０の容量が５．４ｍｌ程度であることが好ましい。薬液容器２と緩衝室６０との容量を上記のように設定することによって、例えば支持体３の外側壁３４とカバー部材４の内側壁４１との嵌合部分から薬液が漏出する等の不具合が抑制され、且つ緩衝室６０の機能も十分に発揮される。
【００３６】
図１０〜図１５に戻って、支持体３の側面部３１には、薬液の芳香成分を外部に拡散させるための開口３８が形成されている。また、底面部３０の外側壁３４の外側位置には、給水受皿に供給された水が支持体３の内部へ浸入したときに、その水を外部へ排出するための開口３９が形成されている。
【００３７】
支持体３には、押圧により少なくとも一部分が内方に移動可能な押圧部７が少なくとも１つ設けられている。一方で、薬液容器２には、図４、図５及び図７に示すように、押圧部７が接触した状態での押圧部７の内方への移動に伴い薬液容器２の上方への移動を誘発する誘発部８が設けられている。つまり、誘発部８は、押圧部７の内方への移動により押圧部７と接触し、押圧部７との接触後は、押圧部７の内方への移動に伴って押圧部７から押圧力を受けることで、薬液容器２を上方に押し上げて移動させるように構成されている。薬液容器２が支持体３と嵌合状態にあるとき、薬液容器２の上方への移動は、支持体３との嵌合を自動的に解除するように作用する。よって、本実施形態の薬液供給装置１では、薬液容器２を支持体３から取り外す際に、押圧部７を単に内側に向けて押圧することで、薬液容器２が支持体３との嵌合が外れる上方に移動するため、薬液容器２を支持体３から容易に取り外すことができる。
【００３８】
本実施形態では、支持体３の側面部３１に、上端部から下方（底面部３０）に向けて延びる一対の切欠き７０を間隔をあけて設けることで、板状の押圧部７が支持体３に一体に設けられている。この板状の押圧部７は、基端部７１（切欠き７０の先端に位置する側面部３１との連結部）を軸にして側面部３１に対して支持体３の内外方向に傾動可能であり、この押圧部７の傾動に伴い、押圧部７の上端部７２が内方に移動する。本実施形態では、押圧部７は、上端部７２が基端部７１のほぼ真上に位置しているので、押圧部７の上端部７２は、押圧部７の内側への傾動により、円弧を描くようにして斜め下方に向けて移動する。
【００３９】
また、本実施形態では、押圧部７は、一対の切欠き７０が平行に側面部３１に設けられることで、外形が矩形状に形成されており、押圧部７の上端部７２の２つの角が面取りされている。ただし、押圧部７の外形は矩形状に限定されるものではなく、種々の形状に形成することができる。例えば、一対の切欠き７０を側面部３１にハ字状、逆ハ字状、逆Ｖ字状に設けることで、押圧部７の外形を台形状、逆台形状、三角形状などに形成してもよい。なお、矩形状や台形状、逆台形状などのように、押圧部７の上端部７２が幅を有する外形に形成されていることが好ましい。これにより、押圧部７は、詳細は後述するが、上端部７２が薬液容器２の摺動面８０に幅広く接触した状態で摺動面８０上を動くので、押圧部７を摺動面８０の延びる方向に沿って真っ直ぐ移動させることができる。その結果、薬液容器２を支持体３に対して真っ直ぐ上方に移動させることができるので、薬液容器２と支持体３との嵌合を良好に外すことができる。
【００４０】
また、所定幅を有するスリット状の切欠き７０ではなく、線状の切込みを側面部３１に設けることによっても、同様の板状の押圧部７を支持体３に一体に設けることができる。また、一対の切欠き７０（又は切込み）を側面部３１の上端部から設けなくても、例えば、コ字状、Ｕ字状、Ｖ字状などの切欠き（又は切込み）を上に凸となるようにして側面部３１に設けることで、側面部３１に対して支持体３の内外方向に傾動可能な板状の押圧部７を支持体３に一体に設けることができる。
【００４１】
押圧部７の支持体３に設けられる位置は特に限定されるものではないが、支持体３の長手方向（第１の方向）に延びる部分である前側縁部３Ｃ及び／又は後側縁部３Ｄに設けられているのが好ましい。薬液容器２を支持体３から取り外す際には、支持体３を片方の手で掴んで押圧部７を指で押圧操作する必要があるが、支持体３の長手方向（第１の方向）に延びる部分に押圧部７が設けられていると、支持体３を手で掴んで指で押圧部７の押圧操作がし易くなるからである。
【００４２】
また、押圧部７は支持体３に少なくとも１つ設けられていればよいが、一対の押圧部７が対向するようにして支持体３に設けられていることが好ましい。押圧部７は、押圧による内方への移動が誘発部８を介して薬液容器２を上方に押し上げるように構成されているが、薬液容器２を一対の押圧部７により挟むことで、薬液容器２を真っ直ぐ上方に押し上げることができる。よって、薬液容器２と支持体３との嵌合を良好に外すことができる。本実施形態では、一対の押圧部７が、支持体３の側面部３１の前側縁部３Ｃ及び後側縁部３Ｄの長さ方向の中央位置に、それぞれ配置されている。
【００４３】
一方、誘発部８は、図４、図５及び図７に示すように、本実施形態では、薬液収納部２０の上面に設けられており、押圧部７の傾動により、押圧部７の上端部７２が摺動する摺動面８０により構成されている。なお、「摺動」とは、接触して滑りながら動くことをいう。薬液収納部２０の上面には、周縁近傍から中央付近に向けて緩やかな山形に盛り上がった隆起部２３が設けられており、隆起部２３の一部を切り欠くようにして摺動面８０が形成されている。また、隆起部２３の略中央位置に排出口２１が設けられている。
【００４４】
誘発部８（摺動面８０）は、薬液容器２の支持体３との装着時に押圧部７と対応するように、薬液容器２に設けられている。本実施形態では、薬液容器２の長手方向（第１の方向）に延びる部分である前側縁部２Ｃ及び後側縁部２Ｄにそれぞれ設けられており、前側縁部２Ｃ及び後側縁部２Ｄの長さ方向の中央位置に、排出口２１を挟んで対向配置されている。
【００４５】
また、本実施形態では、隆起部２３の一部を凹状に切り欠くことで形成される凹部２４が、薬液容器２の前側縁部２Ｃ及び後側縁部２Ｄの長さ方向の中央位置にそれぞれ設けられている。凹部２４の前側縁部２Ｃ又は後側縁部２Ｄ側（手前側）の端縁は開口しており、この開口から内方に移動する押圧部７を凹部２４内に受け入れ可能である。また、凹部２４は、押圧部７の移動方向に沿って延びる底壁面を備えており、本実施形態では、この底壁面が摺動面８０を構成している。摺動面８０の左右側の端縁には凹部２４の側壁面２５が連設されており、摺動面８０の排出口２１側（奥側）の端縁には凹部２４の奥壁面２６が連設されている。摺動面８０（凹部２６の底壁面）の横幅は、押圧部７を受け入れられるように、押圧部７の横幅よりも若干大きく設定されている。摺動面８０が凹部２４内に設けられていることで、凹部２４の両側壁面２５にガイドされながら、押圧部７の上端部７２が摺動面８０を摺動する。よって、押圧部７を摺動面８０が延びる方向に沿って真っ直ぐ移動させることができるので、薬液容器２を支持体３に対して真っ直ぐ上方に移動させることができる。その結果、薬液容器２と支持体３との嵌合を良好に外すことができる。
【００４６】
摺動面８０は、本実施形態では、内側（排出口２１側）に向かうに連れて高く（使用時の薬液容器２を表す図４では低く）傾斜する、つまりは、薬液収納部２０の上面からの高さが高くなる傾斜面に形成されている。上述したように、本実施形態では、押圧部７の上端部７２が内方に向けて円弧を描くようにして斜め下方に移動する。よって、摺動面８０を、押圧部７の上端部７２の移動方向と同じ方向に傾斜する傾斜面とすることで、押圧部７の上端部７２は摺動面８０と接触しながら摺動面８０に沿って移動し続ける。これにより、摺動面８０には押圧部７より押圧力が作用し、この摺動面８０に作用する押圧力は、摺動面８０が斜め下方に傾斜していることで薬液容器２を上方に押し上げる力となるので、薬液容器２の上方への移動を誘発可能となっている。
【００４７】
なお、摺動面８０は、断面視で直線状に傾斜する平坦面であってもよいし、断面視で曲線状に傾斜する湾曲面であっても構わないが、湾曲面で構成されているのが好ましい。上述したように、押圧部７の上端部７２は円弧を描くように移動するので、摺動面８０が湾曲面であると押圧部７の上端部７２の移動方向に沿うので、押圧部７の上端部７２をスムーズに摺動させることができる。
【００４８】
また、摺動面８０は、傾斜度合いが異なる複数の傾斜面を連続して設けることで形成されていることが好ましく、例えば、摺動面８０を内側（排出口２１側）に向かうに連れて傾斜度合いが急となるように形成すれば、以下の理由で好ましい。
【００４９】
つまり、内側（排出口２１側）に向かうに連れて傾斜度合いが急となるように摺動面８０を形成すると、押圧部７の内方への移動により押圧部７の上端部７２が摺動面８０を摺動する当初の段階では、摺動面８０の傾斜度合いが緩やかであるため、押圧部７の内方への移動に伴う摺動面８０を介して薬液容器２を上方に移動させる移動量が小さい。一方、押圧部７の上端部７２が摺動面８０を摺動するにしたがって、摺動面８０の傾斜の度合いが急になるため、押圧部７の内方への移動に伴う摺動面８０を介して薬液容器２を上方に移動させる移動量が大きくなる。
【００５０】
ここで、薬液容器２が支持体３に装着されている状態では、排出口２１内に接続部材４３が嵌合していることにより、薬液容器２は支持体３に固定されていて取り外し難くなっている。そのため、使用者は、薬液容器２を支持体３から取り外そうとする際に、支持体３の押圧部７を強く（勢いよく）押圧するおそれがある。この場合に、押圧部７の上端部７２が摺動面８０を摺動する当初の段階において摺動面８０の傾斜度合いが急であると、押圧部７の内方への移動に伴い摺動面８０を介して薬液容器２を上方に移動させる移動量が大きくなる。その結果、薬液容器２がいきなり大きく上方に移動することで支持体３との嵌合が解除され、使用者の意に反して薬液容器２が支持体３から勢いよく外れてしまうおそれがある。
【００５１】
一方で、押圧部７の上端部７２が摺動面８０を摺動する当初の段階において、摺動面８０の傾斜度合いが緩やかであると、使用者が薬液容器２を支持体３から取り外そうとする際に、支持体３の押圧部７を強く（勢いよく）押圧しても、押圧部７の内方への移動に伴う摺動面８０を介して薬液容器２を上方に移動させる移動量が小さいために、薬液容器２はさほど上方に移動しない。よって、薬液容器２と支持体３との嵌合がいきなり解除されて、薬液容器２が支持体３から勢いよく外れてしまうことを防止できる。そして、押圧部７の上端部７２が摺動面８０を摺動するにしたがい、摺動面８０の傾斜の度合いが急になるので、押圧部７の内方への移動に伴う摺動面８０を介して薬液容器２を上方に移動させる移動量が大きくなる。これにより、薬液容器２が大きく上方に移動して支持体３との嵌合が解除され、薬液容器２を支持体３から容易に取り外すことが可能になる。
【００５２】
なお、傾斜度合いとは、水平方向の変化に対する上下方向の変位量（水平面からの距離）のことをいい、傾斜面が平坦面であれば、平坦面の水平面に対する傾斜角度を指し、傾斜面が湾曲面であれば、湾曲面の曲がり具合いつまりは曲率半径を指す。摺動面８０を内側に向かうに連れて傾斜の度合いが急となるように形成する場合には、平坦面同士の組み合せの場合には、内側に向かうに連れて傾斜角度が急な平坦面を順次並べる。また、湾曲面同士の組み合せの場合には、内側に向かうに連れて曲率半径が小さい湾曲面を順次並べる。また、平坦面と湾曲面との組み合せの場合、平坦面、湾曲面の順番に並べる場合には、平坦面の傾斜角度を、湾曲面の平坦面との連結部分における接線の傾斜角度以下とし、湾曲面、平坦面の順番に並べる場合には、平坦面の傾斜角度を、湾曲面の平坦面との連結部分における接線の傾斜角度以上とする。
【００５３】
また、摺動面８０は、押圧部７の上端部７２が摺動面８０の終端（本実施形態では奥壁面２６との境目）まで摺動した際に、薬液容器２と支持体３との嵌合（本実施形態では、排出口２１と接続部材４３との嵌合）が外れる状態まで薬液容器２が上方に移動するように、傾斜度合いが設定されていることが好ましい。これにより、押圧部７の上端部７２が摺動面８０の終端の凹部２４の奥壁面２６に突き当たった際に、薬液容器２と支持体３との嵌合が外れて薬液容器２を支持体３から取り外し可能であることを確認できる。また、これ以上、押圧部７を押圧しても、押圧部７の上端部７２が凹部２４の奥壁面２６に突き当たって内方に摺動しないために、薬液容器２がさらに上方に移動することが規制される。よって、使用者の意に反して薬液容器２が支持体３から勢いよく外れてしまうことを防止できる。
【００５４】
ここで、本実施形態のように、排出口２１と接続部材４３とが嵌合している状態において、薬液容器２と支持体３との嵌合が外れる状態とは、図２４を参照して、薬液容器２の上方への移動に伴いキャップ２２の内側壁部２７Ａが上方に移動して、少なくとも接続部材４３の基端部４３Ｂよりも上方に位置して基端部４３Ｂの外周面と当接しなくなる状態をいう。このとき、内側壁部２７の係合突部２７Ｄについては接続部材４３の先端部４３Ａの外周面と当接している状態であっても当接していない状態であってもよく、また、係合突部２７Ｄの一部が先端部４３Ａの外周面と当接している状態であってもよい。少なくとも接続部材４３の基端部４３Ｂとキャップ２２の内側壁部２７Ａとの嵌合が外れて両者が接触しなくなれば、薬液容器２を単に掴んで持ち上げるだけで、ほとんど力をかけることなく支持体３から薬液容器２を取り外すことができる。よって、薬液容器２と支持体３との嵌合状態が、本実施形態のような嵌合状態（接続部材４３の基端部４３Ｂとキャップ２２の内側壁部２７Ａとの接触、及び、接続部材４３の先端部４３Ａとキャップ２２の係合突部２７Ｄとの接触の上下２箇所での接触による嵌合状態）と異なる場合には、薬液容器２と支持体３との嵌合が外れる状態とは、薬液容器２を単に掴んで持ち上げるだけで、ほとんど力をかけることなく支持体３から薬液容器２を取り外すことができる状態をいう。
【００５５】
なお、摺動面８０は、押圧部７の上端部７２が摺動面８０の終端（本実施形態では奥壁面２６との境目）まで達する前に、薬液容器２と支持体３との嵌合（本実施形態では、排出口２１と接続部材４３との嵌合）が外れる状態まで薬液容器２が上方に移動するように、傾斜度合いが設定されていてもよい。この場合には、摺動面８０は、薬液容器２と支持体３との嵌合が外れた後でも押圧部７の上端部７２が摺動できる長さに設定される。この場合には、押圧部７の上端部７２が摺動面８０の終端の凹部２４の奥壁面２６に突き当たった際には、薬液容器２が支持体３から少し浮かび上がるので、何らの力も要らずに薬液容器２を支持体３から取り外すことができる。なお、この場合には、薬液容器２が支持体３から勢いよく外れてしまうことがないように摺動面８０の傾斜度合いを設定するのが好ましい。
【００５６】
上記構成の薬液供給装置１によると、支持体３の接続部材４３を薬液容器２の排出口２１にキャップ２２を貫通して嵌合させることにより、薬液容器２が支持体３に固定される。そして、水洗トイレの貯水タンク上部の給水受皿の排水口に支持体３の案内部材５及び長脚部３２が挿入されることで、薬液容器２内の薬液は、接続部材４３から排出部材４４を通って案内部材５に排出され、案内部材５上の薬液がフラッシュ時に給水受皿に供給される水に洗い流されることで、排水口から貯水タンクに流れ込む。
【００５７】
使用に伴い薬液容器２内の薬液が全て排出されると、空の薬液容器２を新たな薬液容器２に取り替えることで、継続しての使用が可能になる。この場合、支持体３から薬液容器２を取り外す必要があるが、上記構成の薬液供給装置１では、支持体３及び薬液容器２にそれぞれ押圧部７及び誘発部８（摺動面８０）が設けられており、押圧部７の内方への移動が誘発部８を介して薬液容器２を上方に移動させるように構成されているので、押圧部７を内側に向けて単に押圧するだけで、薬液容器２が上方へ移動して支持体３との嵌合が自動的に外れる。よって、薬液容器２を支持体３から容易に取り外すことができ、薬液容器２を支持体３から取り外す際に薬液容器２を支持体３から強く引き離すなどの必要がないので、薬液容器２内の残存する薬液が排出口２１から飛び散るおそれがなく、使用者の服などに付着するおそれがない。加えて、薬液容器２を支持体３から取り外す際には、薬液供給装置１を給水受皿上に設置したままで、一方の手で支持体３の押圧部７を押圧し、他方の手で薬液容器２を掴んで持ち上げることで、薬液容器２を支持体３から取り外せる。よって、支持体３の案内部材５に手が触れることがないので、薬液容器２を支持体３から取り外した際に薬液が手に付着して薬液で汚れるおそれもなく、使用者が不快に感じるおそれがない。
【００５８】
また、薬液容器２及び支持体３に、一対の押圧部７及び誘発部８（摺動面８０）が対向するように設けられているので、薬液容器２を一対の押圧部７により挟むことで、誘発部８を介して薬液容器２を真っ直ぐ上方に押し上げて移動させることができるので、薬液容器２と支持体３との嵌合を良好に外すことができる。
【００５９】
また、一対の押圧部７及び誘発部８（摺動面８０）が、薬液容器２及び支持体３の長手方向（第１の方向）に延びる部分である前側縁部２Ｃ，３Ｃ及び後側縁部２Ｄ，３Ｄに設けられているので、薬液容器２を支持体３から取り外す際に、支持体３を片方の手で掴みやすく、よって、押圧部７の押圧操作をし易くすることができる。
【００６０】
また、誘発部８（摺動面８０）が凹部２６内に設けられており、押圧部７の上端部７２は凹部２６の両側壁面２５にガイドされながら摺動面８０を摺動するので、押圧部７を摺動面８０が延びる方向に真っ直ぐ移動させることができる。よって、薬液容器２を支持体３に対して真っ直ぐ上方に移動させることができるので、薬液容器２と支持体３との嵌合を良好に外すことができる。
【００６１】
以上、本発明の一実施形態について詳述したが、本発明の具体的な態様は上記した実施形態に限定されない。例えば、上記実施形態では、誘発部８を構成する摺動面８０が、内側（排出口２１側）に向かうに連れて高く（使用時の薬液容器２を表す図４では低く）傾斜する傾斜面に形成されているが、内側（排出口２１側）に向けて傾斜せずに水平に延びる平坦な水平面に形成されていてもよい。なお、この場合には、図２５に示すように、押圧部７は、上端部７２が基端部７１よりも大きく外側に位置するように斜めに傾斜した状態で支持体３に設けるようにする。これにより、押圧部７の内側への傾動により、押圧部７の上端部７２は円弧を描くようにして斜め上方に移動する。よって、摺動面８０が水平面であると、押圧部７の内方への移動に伴い押圧部７の上端部７２が摺動面８０を摺動する際に、摺動面８０は押圧部７により上方に押し上げられる。これにより、薬液容器２が上方に移動するので、摺動面８０は押圧部７の内方への移動に伴い薬液容器２の上方への移動を誘発可能となっている。なお、押圧部７が支持体３に外側に倒れるように斜めに傾斜した状態で設けられる場合には、摺動面８０は水平面に限らず、内側（排出口２１側）に向かうに連れて低く（使用時の薬液容器２を表す図４では高く）傾斜する傾斜面に形成されていてもよい。この場合においても、押圧部７の内方への移動に伴い押圧部７の上端部７２が摺動面８０を摺動する際に、摺動面８０は押圧部７により上方に押し上げられる。よって、薬液容器２が上方に移動するので、摺動面８０は押圧部７の内方への移動に伴い薬液容器２の上方への移動を誘発可能となっている。
【００６２】
また、上記実施形態では、薬液容器２（薬液収納部２０）の上面の隆起部２３に凹部２４が設けられ、誘発部８を構成する摺動面８０が凹部２４の底壁面により構成されているが、図２６〜図２９に示すように、薬液容器２（薬液収納部２０）の隆起部２３に凹部２４を設けることなく隆起部２３の一部を例えば斜めに切り欠くことで、切り欠かれた隆起部２３の表面を摺動面８０としてもよい。この実施形態では、摺動面８０が排出口２１の近傍まで延びている。摺動面８０としては、上記実施形態と同様に、押圧部７の上端部７２が摺動面８０の終端である排出口２１の付け根位置まで摺動した際に、薬液容器２と支持体３との嵌合（排出口２１と接続部材４３との嵌合）が外れる状態まで薬液容器２が上方に移動するように、傾斜度合いが設定されていてもよいし、押圧部７の上端部７２が摺動面８０の終端である排出口２１の付け根位置まで達する前に、薬液容器２と支持体３との嵌合（排出口２１と接続部材４３との嵌合）が外れる状態まで薬液容器２が上方に移動するように、傾斜度合いが設定されていてもよい。前者の場合には、摺動面８０は、薬液容器２と支持体３との嵌合が外れる状態となるまで押圧部７の上端部７２が摺動できる長さに設定される。後者の場合には、摺動面８０は、薬液容器２と支持体３との嵌合が外れた後でも押圧部７の上端部７２が摺動できる長さに設定される。なお、この実施形態における摺動面８０の薬液容器２に設けられる位置や数などは、上記実施形態と同様にすることができる。また、図２６〜図２９に示す薬液容器２のその他の構成は、図５〜図８に示す上記実施形態の薬液容器２の構成と同様であり、ここでは対応する構成に同一の符号を付することで詳細な説明を省略する。
【００６３】
また、上記実施形態では、誘発部８を構成する摺動面８０は、凹部２４の底壁面や隆起部２３の切り欠かれた表面など、面状に広がりを有しているが、図３０〜図３２に示すように、例えば、薬液容器２（薬液収納部２０）の上面に、押圧部７の移動方向に沿って延びる（図３２では、前側縁部２Ｃ及び後側縁部２Ｄから排出口２１に向かって延びる）リブ８１を少なくとも１つ設け、リブ８１の表面を摺動面８０としてもよい。この実施形態では、押圧部７の内方への移動に伴い、押圧部７の上端部７２がリブ８１の表面の摺動面８０と接触するように、リブ８１の高さが設定される。なお、リブ８１としては、薬液容器２（薬液収納部２０）の上面に、横幅の広いものが１つ設けられていてもよいし、横幅の狭いものが間隔をあけて複数並列して設けられていてもよい。また、リブ８１は、押圧部７が内側に傾動する際の上端部７２の移動方向に応じて、表面（摺動面８０）が内側（排出口２１側）に向かうに連れて高く又は低く傾斜する傾斜面に形成されていてもよいし、内側（排出口２１側）に向けて傾斜せずに水平に延びる平坦な水平面に形成されていてもよい。また、図３０〜図３２では、薬液容器２の前側縁部２Ｃ及び後側縁部２Ｄの長さ方向の中央位置にそれぞれ設けられた凹部２４内にリブ８１が設けられているが、凹部２４は必ずしも設ける必要はない。
【００６４】
また、上記実施形態では、誘発部８が摺動面８０により構成されているが、図３３〜図３５に示すように、誘発部８を突起８２より構成することができる。突起８２は、薬液容器２（薬液収納部２０）の上面において、押圧部７の移動方向に位置しており、押圧部７の内方への移動に伴い、押圧部７の上端部７２が突起８２に突き当たるように、その設置場所及び高さが設定されている。この実施形態では、押圧部７の上端部７２が突起８２に突き当たって接触した状態で、押圧部７がさらに内方へ移動すると、押圧部７は突起８２を乗り越える。そのため、突起８２には押圧部７より上向きの押圧力が作用する。これにより、薬液容器２が上方に押し上げられるので、突起８２は押圧部７の内方への移動に伴い薬液容器２の上方への移動を誘発可能となっている。なお、突起８２としては、薬液容器２（薬液収納部２０）の上面に、外形が大きいものが１つ設けられていてもよいし、外形が小さいものが間隔をあけて複数並列して設けられていてもよい。また、図３３〜図３５では、薬液容器２の前側縁部２Ｃ及び後側縁部２Ｄの長さ方向の中央位置にそれぞれ設けられた凹部２４内に突起８２が設けられているが、凹部２４は必ずしも設ける必要はない。
【００６５】
また、上記実施形態では、押圧部７は、支持体３の側面部３１に切欠き７０（又は切込み）を設けることで側面部３１に一体に設けられているが、図３６に示すように、側面部３１に切欠き７０などを設けることなく、押圧部７を設ける位置の側面部３１の高さを低くし、当該側面部３１の上端部に板状の押圧部７を設けるようにしてもよい。また、押圧部７は、支持体３の側面部３１に対して内外にスライド移動可能に設けられた移動体であってもよく、押圧部７の内方へのスライド移動により押圧部７の先端部が、例えば傾斜状態の摺動面８０と接触し、摺動面８０と接触した状態でさらに内方へ移動することに伴い摺動面８０を介して薬液容器２を上方に押し上げるように構成されていてもよい。その他にも、押圧により少なくとも一部分が内方に移動して誘発部８と接触し、誘発部８と接触した状態でさらに内方へ移動することに伴い誘発部８を介して薬液容器２を上方に押し上げるように構成されていれば、押圧部７は種々の態様とすることができる。
【００６６】
また、上記実施形態では、薬液容器２の薬液収納部２０及び排出口２１が１つであり、これに対応して支持体３に接続部材４３や緩衝室６０などが１つ設けられている薬液供給装置１について説明したが、本発明は、図４０〜図４２に示したような、薬液容器２の薬液収納部２０や排出口２１、支持体３の接続部材４３や緩衝室６０などが各々２つ（又は３つ以上）備える薬液供給装置についても適用することができる。
【００６７】
さらに、本発明は、上記実施形態のような、案内部材５を支持体３の下面から下方へ突出させて給水受皿の排水口に挿入するように構成された薬液供給装置１だけでなく、図４４及び図４５に示すような、支持体の下部側面に設けた開口から板状の薬液供給部材の両端を突出させ、給水受皿上に供給される水により、薬液容器から薬液供給部材上に排出された薬液を洗い流して排水口から貯水タンクの中に流し込むように構成された薬液供給装置についても適用することができる。
【００６８】
さらに、本発明は、上記実施形態のように、水洗トイレの貯水タンク上に配置されるタイプの薬液供給装置だけでなく、便器のリムに吊り掛けて使用するタイプの薬液供給装置についても適用することができる。
【符号の説明】
【００６９】
１    薬液供給装置
２    薬液容器
３    支持体
７    押圧部
８    誘発部
２４  凹部
３１  側面部
７０  切欠き
７２  上端部
８０  摺動面
８２  突起
【図１】
0006537798.tif 000002
【図２】
0006537798.tif 000003
【図３】
0006537798.tif 000004
【図４】
0006537798.tif 000005
【図５】
0006537798.tif 000006
【図６】
0006537798.tif 000007
【図７】
0006537798.tif 000008
【図８】
0006537798.tif 000009
【図９】
0006537798.tif 000010
【図１０】
0006537798.tif 000011
【図１１】
0006537798.tif 000012
【図１２】
0006537798.tif 000013
【図１３】
0006537798.tif 000014
【図１４】
0006537798.tif 000015
【図１５】
0006537798.tif 000016
【図１６】
0006537798.tif 000017
【図１７】
0006537798.tif 000018
【図１８】
0006537798.tif 000019
【図１９】
0006537798.tif 000020
【図２０】
0006537798.tif 000021
【図２１】
0006537798.tif 000022
【図２２】
0006537798.tif 000023
【図２３】
0006537798.tif 000024
【図２４】
0006537798.tif 000025
【図２５】
0006537798.tif 000026
【図２６】
0006537798.tif 000027
【図２７】
0006537798.tif 000028
【図２８】
0006537798.tif 000029
【図２９】
0006537798.tif 000030
【図３０】
0006537798.tif 000031
【図３１】
0006537798.tif 000032
【図３２】
0006537798.tif 000033
【図３３】
0006537798.tif 000034
【図３４】
0006537798.tif 000035
【図３５】
0006537798.tif 000036
【図３６】
0006537798.tif 000037
【図３７】
0006537798.tif 000038
【図３８】
0006537798.tif 000039
【図３９】
0006537798.tif 000040
【図４０】
0006537798.tif 000041
【図４１】
0006537798.tif 000042
【図４２】
0006537798.tif 000043
【図４３】
0006537798.tif 000044
【図４４】
0006537798.tif 000045
【図４５】
0006537798.tif 000046